(57)【要約】【課題】膝裏側から作用させて膝関節をある程度開かせることにより、クッション機能を回復して膝痛の緩和を期待できる膝痛緩和補助装置を提供する。【解決手段】利用者の膝の裏にあてがわれ利用者が膝を曲げた際の屈曲間隙に挟み付けられて膝関節をてこ状に開かせる立体形状の膝裏あて部材１２と、膝裏あて部材１２をあてがった状態で利用者が膝を曲げても膝裏あて部材１２の膝裏への配置状態を保持する保持手段１４と、膝裏あて部材１２を利用者の膝裏にあてがった状態で利用者の足首寄り位置を利用者側へ牽引して強制的に膝を曲げる作用を補助する牽引補助手段１６と、を備えた膝痛緩和補助装置１０から構成される。【選択図】図１
2014233507.tif 000002
【特許請求の範囲】
【請求項１】
利用者の膝の裏にあてがわれ利用者が膝を曲げた際の屈曲間隙に挟み付けられて膝関節をてこ状に開かせる立体形状の膝裏あて部材と、
膝裏あて部材をあてがった状態で利用者が膝を曲げても膝裏あて部材の膝裏への配置状態を保持する保持手段と、
膝裏あて部材を利用者の膝裏にあてがった状態で利用者の足首寄り位置を利用者側へ牽引して強制的に膝を曲げる作用を補助する牽引補助手段と、を備えたことを特徴とする膝痛緩和補助装置。
【請求項２】
保持手段により膝裏あて部材の膝裏への配置状態を保持しつつ、膝裏あて部材が膝部の周方向に相対移動自在に保持手段と連係していることを特徴とする請求項１記載の膝痛緩和補助装置。
【請求項３】
膝裏あて部材の全部又は一部が弾性部材を含むことを特徴とする請求項１または２記載の膝痛緩和補助装置。
【請求項４】
保持手段は、膝部を囲周して巻き付けられる索条部材を含み、
膝裏あて部材は、索条部材に通係された状態で膝裏に密着配置される通係孔付き弾性立体部材であることを特徴とする請求項１ないし３のいずれかに記載の膝痛緩和補助装置。
【請求項５】
保持手段は、足の脛部にあてがわれて索条部材並びに牽引補助手段に連係する剛性基体からなることを特徴とする請求項４記載の膝痛緩和補助装置。
【請求項６】
牽引補助手段は足首寄り位置に一部を係合するハンドル付き第２索条部材からなり、
索条部材及び／又は第２索条部材は、剛性基体に対して着脱自在に接続されることを特徴とする請求項５記載の膝痛緩和補助装置。
【発明の詳細な説明】
【技術分野】
【０００１】
本発明は、変形性膝関節症などにより生じる膝の痛みを緩和するのに利用できる膝痛緩和補助装置に関する。
【背景技術】
【０００２】
変形性膝関節症は、加齢による筋力低下、激しい運動、肥満等の原因により、クッション機能を有する軟骨のすり減りや骨の変形、関節の炎症等が生じ、膝関節の痛みを伴う。膝関節の痛みは、症状の進行に伴って歩行の際や立ったり座ったりする動作の際に生じ、悪化すると日常生活にも大きな支障をきたす。従来より、変形性膝関節症の治療方法の一つとして、脚に装具を装着して痛みの緩和を図る方法などが知られている（例えば、特許文献１等）。
【０００３】
特許文献１には、変形性膝関節症の患者の筋力の低下を補って膝の痛みを緩和しようとする膝装着用サポーターが提案されている。特許文献１の膝装着用サポーターでは、膝の上部と下部にそれぞれ巻き付けて固定される伸縮性を有する上部固定部、下部固定部と、膝関節の裏を覆うカバー部からなり、カバー部の内側にパッド部が装着されている。そして、上部固定部、下部固定部及びカバー部の張力とパッド部の弾力によりパッド部を膝裏の屈曲部分を押し付けることで、パッド部が膝関節の間隙の後ろ側に挟まった半月板を膝前方へ押し、膝関節の間隙を保持し、膝の痛みを緩和しようとするものであった。
【先行技術文献】
【特許文献】
【０００４】
【特許文献１】実用新案登録第３１５６７９０号公報
【発明の概要】
【発明が解決しようとする課題】
【０００５】
膝の痛みの緩和を図るためには、膝関節をある程度広げて膝関節の間に潤滑油としての体液を流れやすくすることが重要である。しかしながら、特許文献１の膝装着用サポーターでは、伸縮性の上下部固定部等の張力によってパッド部を膝裏に押し付けて膝関節の間隙を保持するだけのものであるので、パッド部による膝裏側からの押し付け力が比較的弱く、膝関節を十分に開くことができなかった。その結果、膝痛緩和効果としては十分に期待できないおそれがあった。また、特許文献１の膝装着用サポーターは、装着しておくことで筋力をサポートしつつ膝関節の間隙の保持を図ることができるものであり、サポーターを外すと膝の痛みが生じてしまっていた。また、装着者が膝を曲げ伸ばし動作を繰り返すうちに、パッド部の位置が膝裏からずれやすいおそれがあった。
【０００６】
本発明は上記従来の課題に鑑みてなされたものであり、その一つの目的は、膝裏側から作用させて膝関節の間に体液が流れやすいように膝関節を開かせることにより、膝のクッション機能を回復して膝痛の緩和を期待できる膝痛緩和補助装置を提供することにある。
【課題を解決するための手段】
【０００７】
上記課題を解決するために本発明は、利用者の膝の裏にあてがわれ利用者が膝ＮＥを曲げた際の屈曲間隙ＧＣに挟み付けられて膝関節をてこ状に開かせる立体形状の膝裏あて部材１２と、膝裏あて部材１２をあてがった状態で利用者が膝ＮＥを曲げても膝裏あて部材１２の膝裏への配置状態を保持する保持手段１４と、膝裏あて部材１２を利用者の膝裏にあてがった状態で利用者の足首ＫＬ寄り位置を利用者側へ牽引して強制的に膝を曲げる作用を補助する牽引補助手段１６と、を備えた膝痛緩和補助装置１０から構成される。
【０００８】
また、保持手段１４により膝裏あて部材１２の膝裏への配置状態を保持しつつ、膝裏あて部材１２が膝部ＮＥの周方向に相対移動自在に保持手段１４と連係していることとしてもよい。
【０００９】
また、膝裏あて部材１２の全部又は一部が弾性部材２０を含むこととしてもよい。
【００１０】
また、保持手段１４は、膝部を囲周して巻き付けられる索条部材２２を含み、膝裏あて部材１２は、索条部材２２に通係された状態で膝裏に密着配置される通係孔１８付き弾性立体部材であることとしてもよい。
【００１１】
また、保持手段１４は、足の脛部ＳＨにあてがわれて索条部材２２並びに牽引補助手段１６に連係する剛性基体２６からなることとしてもよい。
【００１２】
また、牽引補助手段１６は足首寄り位置に一部を係合するハンドル３０付き第２索条部材３２からなり、索条部材２２及び／又は第２索条部材３２は、剛性基体２６に対して着脱自在に接続されることとしてもよい。
【発明の効果】
【００１３】
本発明の膝痛緩和補助装置によれば、利用者の膝の裏にあてがわれ利用者が膝を曲げた際の屈曲間隙に挟み付けられて膝関節をてこ状に開かせる立体形状の膝裏あて部材と、膝裏あて部材をあてがった状態で利用者が膝を曲げても膝裏あて部材の膝裏への配置状態を保持する保持手段と、膝裏あて部材を利用者の膝裏にあてがった状態で利用者の足首寄り位置を利用者側へ牽引して強制的に膝を曲げる作用を補助する牽引補助手段と、を備えたことから、ある程度の強さで膝を曲げて膝裏にあてがった膝裏あて部材を挟み付けることができるので、効果的に膝関節をてこ状に開かせることができる結果、開いた膝関節へ体液を流れやすし軟骨を潤わせてクッション機能の回復を期待でき、良好な膝痛緩和を図ることができる。また、膝裏あて部材を保持手段に連係させた状態で、牽引補助手段を介して膝曲げを補助できるので、該膝裏あて部材が膝裏からずれにくく、高い膝痛緩和を期待できる。
【００１４】
また、保持手段により膝裏あて部材の膝裏への配置状態を保持しつつ、膝裏あて部材が膝部の周方向に相対移動自在に保持手段と連係している構成とすることにより、膝裏への膝裏あて部材のあてがい状態を保持し、膝曲げ時に確実に膝関節をてこ状に開くように作用させて、膝痛緩和効果の向上を期待できる。
【００１５】
また、膝裏あて部材の全部又は一部が弾性部材を含む構成とすることにより、弾性部材により膝を曲げた際に膝裏あて部材によって利用者が強い痛みや違和感を生じたりしにくいとともに、膝裏へのフィット性も良いうえ、弾性力により良好に膝関節をてこ状に開かせることができる。
【００１６】
また、保持手段は、膝部を囲周して巻き付けられる索条部材を含み、膝裏あて部材は、索条部材に通係された状態で膝裏に密着配置される通係孔付き弾性立体部材である構成とすることにより、装着性が良く、膝裏あて部材を膝裏位置へ合わせやすいとともに、確実に膝裏あて部材を膝裏にあてがわせながら膝痛緩和を図ることができる。
【００１７】
また、保持手段は、足の脛部にあてがわれて索条部材並びに牽引補助手段に連係する剛性基体からなる構成とすることにより、膝裏あて部材が膝裏からずれにくく、剛性基体と索条部材とが協働して膝裏あて部材の膝裏への配置状態を確実に保持できるとともに、牽引補助手段による膝曲げの補助を確実に作用させながら、良好に膝痛緩和を図ることができる。
【００１８】
また、牽引補助手段は足首寄り位置に一部を係合するハンドル付き第２索条部材からなり、索条部材及び／又は第２索条部材は、剛性基体に対して着脱自在に接続される構成とすることにより、ハンドル付き第２索条部材を介して膝裏あて部材を挟み付けるような膝曲げを行わせる補助力を確実に足首寄り側に伝達することができ、効果的に膝関節をてこ状に開かせながら良好に膝痛緩和を行える。また、膝痛緩和補助装置の脚部への装着、離脱を簡単に行える。また、例えば、部材交換やメンテナンス、その他必要に応じて、各部材の交換を簡単に行うことができるうえ、収納、保管に便利である。
【図面の簡単な説明】
【００１９】
【図１】本発明の第１の実施形態に係る膝痛緩和補助装置の斜視図である。
【図２】図１の膝痛緩和補助装置の側面図である。
【図３】図１の膝痛緩和補助装置の正面図である。
【図４】図２の膝痛緩和補助装置の平面図である。
【図５】図２の膝痛緩和補助装置のＡ−Ａ線端面図である。
【図６】図１の膝痛緩和補助装置の分解斜視図である。
【図７】図１の膝痛緩和補助装置の作用説明図である。
【図８】図１の膝痛緩和補助装置の他の作用説明図である。
【図９】本発明の第２の実施形態に係る膝痛緩和補助装置の斜視図である。
【図１０】図９の膝痛緩和補助装置の正面図である。
【図１１】図９の膝痛緩和補助装置のＢ−Ｂ線断面図である。
【図１２】本発明の第３の実施形態に係る膝痛緩和補助装置の正面図である。
【発明を実施するための形態】
【００２０】
以下添付図面を参照しつつ本発明の膝痛緩和補助装置の実施形態について説明する。本発明に係る膝痛緩和補助装置は、例えば、変形性膝関節症の患者等が利用し、膝関節を十分に開かせるような膝曲げ動作を強制的に行わせて膝関節の機能の回復促進を図り、膝の痛みを緩和するのに利用される道具である。図１ないし図８は、本発明の膝痛緩和補助装置の一実施形態を示している。図１、図２、図３に示すように、本実施形態において、膝痛緩和補助装置１０は、膝裏あて部材１２と、保持手段１４と、牽引補助手段１６と、を備えている。
【００２１】
図１、図２に示すように、膝裏あて部材１２は、所定の立体形状で設けられており、利用者の膝ＮＥの裏にあてがわれ、該利用者が膝ＮＥを曲げた際の屈曲間隙ＧＣに挟み付けられて膝関節をてこ状に開かせる膝関節の開き作用手段である。膝裏あて部材１２は、膝裏に密着状に配置されて膝裏の屈曲間隙に介在させた状態で膝を大きく曲げた際に大腿部と脹脛部によって強く挟み付けられることで、そのある程度厚みをもった立体形状によってテコ状に作用して膝関節を開かせる。膝裏あて部材１２によって膝関節を開かせることを繰り返し行うことにより、例えば、膝関節の間隙に潤滑油となる体液を流れやすくさせて軟骨の再生やクッション機能の回復を期待でき、膝痛の緩和を図ることができる。
【００２２】
本実施形態では、膝裏あて部材１２は、例えば、中心軸方向を横に向けた中空円筒部材からなり、一端から他端まで貫通した通係孔１８を有している。膝裏あて部材１２の軸方向の長さは、利用者の膝の幅と略同じ程度か、やや長い長さ（本実施形態では、例えば、約１３ｃｍ程度）設けられている。膝裏あて部材１２の直径は、例えば、膝裏の略全体に当着しうるようにある程度の大きさ（本実施形態では、例えば約６ｃｍ程度）で設定されている。膝裏あて部材１２の通係孔１８の直径は、後述の索条部材２２が通係される大きさ（本実施形態では、例えば約３ｃｍ程度）で設定されている。膝裏あて部材１２は、例えば、プラスチック等の硬質合成樹脂で形成された薄肉の内筒部材１９の外周壁面に、ウレタンスポンジゴム等で形成された厚肉筒状の弾性部材２０が組み付けられた弾性立体部材から構成されている。すなわち膝裏あて部材１２は、通係孔１８を有し外周全体を弾性部材２０で形成したローラ状の通係孔１８付きの弾性円筒状部材となっている。膝裏あて部材１２は弾性部材２０を有するので、膝裏の屈曲間隙で挟み付けられた際に弾性変形しつつその弾性反発力で押し返すとともに、力を加えるのを止めると弾性復元力で元の形状に復帰する。なお、膝裏あて部材１２の全部が弾性部材で形成されていてもよい。また、膝裏あて部材は、例えば、円柱状、楕円筒状、球状、楕円球状、隅丸多角形状、俵型状、鼓形状等、その他体格や症状等に応じて任意の形状、大きさで設けてもよい。膝裏あて部材は、通係孔１８を設けずに索条部材と連結させることとしてもよい。
【００２３】
図１、図２、図７に示すように、保持手段１４は、膝裏あて部材１２を膝裏にあてがった状態で利用者が膝ＮＥを曲げても、膝裏あて部材１２の膝裏への配置状態を保持する保持手段である。本実施形態では、保持手段１４は、利用者の膝部の周りに巻き付けられる索条部材２２と、利用者の脛部にあてがわれる脛あて基体２４と、を含む。
【００２４】
図１、図２、図３、図４に示すように、索条部材２２は、膝裏あて部材１２の通係孔１８を通係した状態で膝裏あて部材１２と連係しており、利用者の膝部を囲周して巻き付けられ、膝裏あて部材１２を膝裏に密着配置させる。索条部材２２は、例えば、ある程度の幅で一方に長い可撓性のベルトからなる。索条部材２２は、両端を脛あて基体２４の上部側に接続してループ状に構成されており、そのループの中間位置に膝裏あて部材１２を通係させ、脛あて基体２４と膝裏あて部材１２とが前後に対向するように配置させうる。索条部材２２は、膝裏あて部材１２の通係孔１８を通係して連係した構成であるので、該膝裏あて部材１２を該索条部材の長手方向に沿ってスライド自在に通係している。よって、保持手段１４と膝裏あて部材１２との連係は、該保持手段１４による膝裏あて部材１２の膝裏への配置状態を保持しつつ、膝裏あて部材１２が膝部の周方向に相対移動自在に構成される。図６に示すように、索条部材２２の各端部と脛当て基体２４とは第１着脱手段３４によって着脱自在に接続されている。第１着脱手段３４は、例えば、面ファスナからなり、索条部材２２の両端部それぞれにある程度の長さ範囲で面ファスナ部材３６が取り付けられ、後述の脛あて基体２４側に設けられた面ファスナ部材３８に対して着脱自在に接続される。
【００２５】
脛あて基体２４は、利用者の脚の脛部にあてがわれて索条部材２２並びに牽引補助手段１６に連係されている。図１、図２、図３に示すように、本実施形態では、脛当て基体２４は、例えば、膝下から足首近傍まで脛部ＳＨの前面側にあてがわれるように縦長に設けられており、膝寄りとなる上部側に索条部材２２が連係され、足首寄りとなる下部側に牽引補助手段１６が連係されている。図４、図５にも示すように、脛あて基体２４は、例えば、プラスチック等の硬質合成樹脂製等の剛性素材で一体的に設けられた剛性基体２６からなり、例えば、牽引補助手段で補助力を作用させても容易に変形しないようになっている。剛性基体２６の脛にあてがわれる内面側全体にウレタンスポンジゴムからなるクッション材２８が取り付けられている。剛性基体２６は、例えば、一方に長い硬質板材を短辺方向中央位置で略Ｖ字状に曲折して設けられており、正面視で縦長略矩形状で横断面が略Ｖ字状に形成されている。剛性基体２６の横断面Ｖ字の内側にクッション材２８が接着剤等により固定されている。剛性基体２６は、略Ｖ字内側を利用者の脛部ＳＨにあてがわれて、装着位置がずれにくくなっており、索条部材２２と協働して膝裏あて部材１２の膝裏への密着配置位置を保持する。なお、剛性基体２６は、横断面Ｖ字状の板状部材に限らず、例えば、フレーム枠体で構成してもよい。剛性基体２６の上部側約３分の１程度の前面側には面ファスナ部材３８が面状に固定されており、索条部材２２側の面ファスナ部材３６と着脱自在に接続される。さらに、剛性基体２６の下部側約３分の１程度の前面側にも面ファスナ部材４０が面状に固定されており、後述の牽引補助手段１６の第２索条部材３２の面ファスナ部材４２と着脱自在に接続される。
【００２６】
なお、例えば、保持手段１４は、索条部材２２に限らず剛性素材のフレーム等を含む構成で膝裏あて部材１２を位置保持するようにしてもよい。また、複数の索条部材２２で膝裏あて部材１２を保持するようにしてもよい。また、索条部材２２と膝裏あて部材１２とを固定的に接続する構成としてもよい。また、索条部材２２と剛性基体２６とを固定的に接続する構成としてもよい。また、索条部材２２の端部や中間位置にバックルや金具等を取り付けて利用者の体格に応じて索条部材の膝部周りの巻き付け長さを調節できるように構成してもよい。
【００２７】
図１、図２、図３、図７に示すように、牽引補助手段１６は、膝裏あて部材１２を利用者の膝裏にあてがった状態で、利用者の足首寄り位置を利用者側へ牽引して強制的に膝を曲げる作用を補助する作用力補助手段である。すなわち、牽引補助手段１６は、利用者の脚の力による膝を曲げる力に加えて、補助的に膝を曲げる方向への力を作用させる膝曲げ補助手段を構成している。これにより、牽引補助手段１６を介して利用者の手又は補助者の手の力で膝曲げを補助することにより、例えば、高齢者等の脚の筋力が低下した者であってもある程度強い力で膝を曲げながら膝裏にあてがった膝裏あて部材１２の挟み付け動作を行わせ、膝関節をてこ状に開かせる機能を効果的に作用させることができる。
【００２８】
本実施形態では、牽引補助手段１６は、保持手段１４と連係されており、保持手段１４により膝裏あて部材１２の膝裏への配置状態を保持したまま補助力を確実に作用させることができる。牽引補助手段１６は、例えば、足首寄り位置に一部を係合するハンドル３０付き第２索条部材３２を有する。第２索条部材３２は、例えば、剛性基体２６の足首寄り側となる下部側に第２着脱手段３５を介して着脱自在に接続されている。第２索条部材３２は、例えば、可撓性のベルトからなり、正面視で略横倒し８字状となるように中央部分３２Ｃで上下を連結するとともに、左右両部側３２Ｅが環状に設けられている。第２索条部材３２は、ベルトの裏面側に面ファスナ部材４２が固定されており、剛性基体２６の前面側すなわち略Ｖ字の外面側から該基体２６の面ファスナ部材４０に対して着脱自在に接続される。第２索条部材３２は、左右両端部３２Ｅが脛あて基体２４よりも左右に出るような長さで設けられ、その端部にハンドル３０が取り付けられている。ハンドル３０は、例えば、プラスチック等の硬質合成樹脂で円筒状に形成され、中心軸方向を縦方向に立てた状態で、中空内部に第２索条部材３２の端部３２Ｅを通係させている。図７に示すように、第２索条部材３２は、装着状態で両端部のハンドル３０が利用者の脛部の足首寄り位置で左右両側に配置されるようになっており、利用者自身が手で掴んで引き上げ状に牽引しながら膝曲げ作用を補助できるようになっている。また、図８に示すように、剛性基体２６の足首寄り側を補助者が押すことで膝曲げ作用を補助することもできる。なお、図８では、補助者が利用者の脚を押して利用者の膝の曲げを補助を行う際に、第２索条部材３２を取り外して行っているが、第２索条部材３２を接続したまま行なっても良い。なお、第２索条部材３２にハンドルを設けずに、ベルト自体を手で握って操作する構成としてもよい。また、第２索条手段３２と剛性基体２６とを固定的に接続してもよい。また、例えば、剛性基体２６の一部に手をかけるための取っ手、ハンドルを一体的に設けてもよい。
【００２９】
次に、図７、図８を参照しつつ本実施形態に係る膝痛緩和補助装置１０の作用について説明する。膝痛緩和補助装置１０を使用する際には、例えば、利用者が膝を伸ばした状態で、脛あて基体２４を脛部にあてがうとともに膝裏あて部材１２を膝裏にあてがって、索条部材２２を膝部の周りに巻き付けながら面ファスナ部材３６、３８を介して索条部材２２の端部と脛あて基体２４を接続することで、膝裏に膝裏あて部材１２を支持した状態で装着する。図７に示すように、利用者が膝を曲げて膝裏の屈曲部分に膝裏あて部材１２を挟み付ける。この際、足首寄り側に設けられる牽引補助手段１６である第２索条部材３２を介して利用者自身が手で引き上げ状に力を加えながら、膝曲げ動作すなわち膝裏あて部材１２の挟み付け動作を補助する。また、例えば、利用者が高齢者や病弱者等で腕の力が弱い場合には、図８に示すように、補助者が剛性基体２６の足首寄り側を手で押して利用者の膝曲げを補助しながら、膝曲げ動作すなわち膝裏あて部材の挟み付け動作を補助する。これにより、膝裏あて部材１２を膝裏の屈曲部分で、ある程度強く挟み付けながら膝関節をてこ状に開かせるように作用させる。一定時間強制的に膝を曲げる方向に力を加えたら、力を加えるのをやめて膝裏あて部材の挟み付けを解除する。膝裏あて部材１２を挟み付けて膝関節を開かせる動作を複数回繰り返すことによって、てこ状に開かせた膝関節の間に体液が流れやすくなり、軟骨を潤わせてクッション機能の回復を期待でき、膝痛症状の緩和を図ることができる。この膝裏あて部材の挟み付け動作の際にも、保持手段１４により膝裏あて部材１２がずれることがなく、確実に効果的に膝痛緩和補助を行える。使用後には、膝痛緩和装置を脚から外し、必要に応じて、索条部材２２や第２索条部材を脛あて基体２４から外してコンパクトにした状態で保管することができる。
【００３０】
次に、図９、図１０、図１１を参照しつつ、本発明の第２実施形態の膝痛緩和補助装置１０−２について説明する。上記した第１実施形態と同一構成、同一部材には、同一符号を付し、その詳細な説明は省略する。本実施形態では、膝裏あて部材１２と保持手段１４の索条部材２２の構成は上記実施形態と略同じ構成であるが、保持手段１４の剛性基体２６と牽引補助手段１６の具体的構成が第１実施形態と異なっている。図９、図１０に示すように、牽引補助手段１６は、剛性基体２６の足首寄り側に一体的に設けられている。図１１にも示すように、牽引補助手段１６は、例えば、横断面略Ｖ字状の剛性基体２６の下位部分の一部分を前方側に折り曲げて形成した折返し板片部４４を含む。折返し板片部４４は、例えば、剛性基体２６の下部側３分の１部分において、左右外側から中途位置まで形成された横方向に切込み長さに対応して剛性基体２６の下部の左右両部分を前方に折り返しされており、折返し片部４４を含む剛性基体２６の下部は横断面略逆Ｗ字状となっている。なお、剛性基体２６の脛にあてがわれる内面側にはクッション材２８が取り付けられている。膝を曲げて膝裏の屈曲部分に膝裏あて部材を挟み付けて膝痛の緩和補助を行う際には、剛性基体２６の左右両側に設けられた牽引補助手段１６としての折返し板片部４４に手を掛けて引っ張ることで、膝曲げの補助力を作用させることができる。本実施形態でも第１実施形態同様に、膝痛緩和補助装置を利用して膝関節をテコ状に開かせながら膝痛緩和を図ることができる。
【００３１】
次に、図１２を参照しつつ、本発明の第３実施形態の膝痛緩和補助装置１０−３について説明する。上記した第１実施形態と同一構成、同一部材には、同一符号を付し、その詳細な説明は省略する。本実施形態では、膝裏あて部材１２と保持手段１４の索条部材２２の構成は上記実施形態と略同じ構成であるが、保持手段１４の剛性基体２６と牽引補助手段１６の具体的構成が第１、第２実施形態と異なっている。図１２に示すように、牽引補助手段１６は、例えば、剛性基体２６の足首寄り側に一体的に設けられた取っ手部４６を含む。取っ手部４６は、例えば、剛性基体２６の下部側約３分の１部分の左右両側部分が外側に向けて張り出して形成され、その内側に手を入れる内孔を穿孔して設けられている。膝を曲げて膝裏の屈曲部分に膝裏あて部材を挟み付けて膝痛の緩和補助を行う際には、剛性基体２６の左右両側に一体的に設けられた取っ手部４６に手を掛けて引っ張ることで、膝曲げの補助力を作用させることができる。本実施形態でも第１実施形態同様に、膝痛緩和補助装置を利用して膝関節をてこ状に開かせながら膝痛緩和を図ることができる。
【００３２】
以上説明した本発明の膝痛緩和補助装置は、上記した実施形態のみの構成に限定されるものではなく、特許請求の範囲に記載した本発明の本質を逸脱しない範囲において、任意の改変を行ってもよい。
【産業上の利用可能性】
【００３３】
本発明の膝痛緩和補助装置は、変形性膝関節症、軟骨のすり減り、関節の変形などで生じる膝の痛みの緩和を図るのに好適に利用である。
【符号の説明】
【００３４】
１０    膝痛緩和補助装置
１２    膝裏あて部材
１４    保持手段
１６    牽引補助手段
１８    通係孔
２０    索条部材
２２    脛あて基体
２６    剛性基体
３０    ハンドル
３２    第２索条部材
【図１】
2014233507.tif 000003
【図２】
2014233507.tif 000004
【図３】
2014233507.tif 000005
【図４】
2014233507.tif 000006
【図５】
2014233507.tif 000007
【図６】
2014233507.tif 000008
【図７】
2014233507.tif 000009
【図８】
2014233507.tif 000010
【図９】
2014233507.tif 000011
【図１０】
2014233507.tif 000012
【図１１】
2014233507.tif 000013
【図１２】
2014233507.tif 000014